(57)【特許請求の範囲】
【請求項１】
入浴者身体の少なくとも一部を内部に収容するための入浴装置本体と、当該入浴者を前記入浴装置本体に搬送するための台車付き担架または車椅子と、前記入浴装置本体内に設けられたシャワー設備とを有するものであること、および、前記入浴装置本体内に収容された台車付き担架または車椅子上の入浴者の身体に対して前記シャワー設備で湯水を噴射するようにしたものであること、および、前記入浴装置本体の壁部として前記入浴者の首部から下方身体部分に対向する前側壁部を有するものであること、および、前記台車付き担架または車椅子上の入浴者の出入りを行うための入浴者出入口を当該前側壁部の反対側の位置に有するものであることを前提としたシャワー入浴装置において、前記入浴装置本体の前記入浴者出入口側には、前記台車付き担架または車椅子を導入することのできる内方側面対向間隔をおいて一対の案内部材が配置されていて当該両案内部材の内方側面対向間隔が前記入浴者出入口側から前記前側壁部側へ向かうにしたがい狭くなっていること、および、前記入浴装置本体の前記前側壁部側には位置決め部材が配置されていること、および、前記台車付き担架または車椅子の台車先端部の左右略中間位置を基部として当該台車先端部の左右両隅に一対の尖端が設けられているとともにこれら両尖端と基部とによる凹部が当該台車先端部側に付帯していること、および、前記台車先端部の両尖端にそれぞれローラが軸支されて取り付けられていること、および、前記台車付き担架または車椅子の台車先端部が前記両案内部材側から前記位置決め部材の正面側に至ったときには、当該台車先端部側の凹部内に前記位置決め部材の少なくとも正面側が前記左右方向に可動な状態で嵌り込むものであること、および、前記台車先端部の前記各尖端と前記台車先端部の左右方向略中間位置の基部との間にそれぞれ延在する各延在部の左右対称位置に、少なくとも一対のローラが対称に配置されていることを特徴とするシャワー入浴装置。
【請求項２】
前記台車先端部の各尖端の両ローラと当該両ローラ軸支用支持部材とのうちの少なくとも一方に弾性体が用いられている請求項１記載のシャワー入浴装置。
【請求項３】
前記台車先端部の左右略中間位置の基部と前記位置決め部材の正面側とのうちの少なくとも一方に緩衝材が設けられている請求項１記載のシャワー入浴装置。
【請求項４】
入浴者身体の少なくとも一部を内部に収容するための入浴装置本体と、当該入浴者を前記入浴装置本体に搬送するための台車付き担架または車椅子と、前記入浴装置本体内に設けられたシャワー設備とを有するものであること、および、前記入浴装置本体内に収容された台車付き担架または車椅子上の入浴者の身体に対して前記シャワー設備で湯水を噴射するようにしたものであること、および、前記入浴装置本体の壁部として前記入浴者の首部から下方身体部分に対向する前側壁部を有するものであること、および、前記台車付き担架または車椅子上の入浴者の出入りを行うための入浴者出入口を当該前側壁部の反対側の位置に有するものであることを前提としたシャワー入浴装置において、前記入浴装置本体の前記入浴者出入口側には、前記台車付き担架または車椅子を導入することのできる内方側面対向間隔をおいて一対の案内部材が配置されていて当該両案内部材の内方側面対向間隔が前記入浴者出入口側から前記前側壁部側へ向かうにしたがい狭くなっていること、および、前記入浴装置本体の前記前側壁部側には、一対の位置決め部材が配置されていること、および、前記台車付き担架または車椅子の台車先端部の左右両端を基部として当該台車先端部の左右略中間位置に尖端が設けられているとともにこれら両基部と尖端とによる凸部が当該台車先端部側に付帯していること、および、前記台車先端部の尖端にローラが軸支されて取り付けられていること、および、前記台車付き担架または車椅子の台車先端部が前記両案内部材側から前記両位置決め部材の正面側に至ったときには、当該台車先端部側の凸部がこれら両位置決め部材間に前記左右方向に可動な状態で嵌り込むものであること、および、前記台車先端部の尖端と前記台車先端部の左右両端の基部との間にそれぞれ延在する各延在部の左右対称位置に、少なくとも一対のローラが対称に配置されていることを特徴とするシャワー入浴装置。
【請求項５】
前記台車先端部の尖端のローラと当該ローラ軸支用支持部材とのうちの少なくとも一方に弾性体が用いられている請求項４記載のシャワー入浴装置。
【請求項６】
前記台車先端部の左右両端の基部と前記位置決め部材の正面側とのうちの少なくとも一方に緩衝材が設けられている請求項４記載のシャワー入浴装置。
【発明の詳細な説明】
【０００１】
【発明の属する技術分野】
本発明はシャワー入浴装置に関する。シャワー入浴装置は、寝かせた状態のままで装置内に収容された入浴者にシャワー浴を行えるようにしたもので、特に、高齢者や病人、身体障害者等の歩行困難な要介護者の入浴用に有望視されている。さらに今後は、エステティックサロンなどのボディケア分野への展開も期待される。
【０００２】
【従来の技術】
内部にシャワー設備を備えた入浴装置本体内に、寝かせた状態の入浴者を載せた担架や背もたれごと収容するシャワー入浴装置では、入浴装置本体に対して、ストレッチャー等の台車付き担架や、リクライニング時の背もたれが担架として機能する手押し式車椅子をスムーズで確実に搬送することが要望される。
【０００３】
この種のシャワー入浴装置として、例えば、実用新案登録第２５２８２７９号の第１図に示すものが知られている。このものでは、ストレッチャー６の台車１７に取付けた横枠部２０を、シャワー装置下部の受槽１下部に設けたガイド用のトンネル状部２１に挿入することにより、受槽１上部への台車１７上の担架部分７の搬送を確実にしている。
【０００４】
しかしながら、上記装置は本体下部にトンネル状部２１のようなガイドレールを設ける必要があり、設置床面付近の空間の利用が制約されることがある。例えば、上記シャワー入浴装置を要介護者の入浴に使用する場合、上記の制約により介護者の足元空間が塞がれることとなり、この空間を清掃するなどの作業が困難になる。
【０００５】
このような足元空間を開放するものとして、従来、実開平７−４２６３７号公報の図６及び図７に示すように、ストレッチャー２１の基台部２１Ａの先端両隅に案内ローラ２１Ｂ、２１Ｃを設けるものが知られている。このものでは、浴槽部３０Ｂ前部の下方隅部に設けた一対の脚部材３７Ａにより案内して基台部２１Ａを縦方向から挿入するときに、基台部２１Ａの案内ローラ２１Ｂ、２１Ｃが、浴槽後部３０Ｃの前面３０Ｃ´に備えたガイド部材３９Ａ、３９Ｂに案内される。このようにして、ストレッチャー２１の本体への確実な搬送を行う際に、設置床面付近の空間を広く確保できるようにしている。
【０００６】
【発明が解決しようとする課題】
ところで、このようなシャワー入浴装置を設置する場所には、病院や介護施設の浴室などの空間を転用して用いることが多く、使用できる床面の広さは無制限でない。特に、上記した要介護者を対象とした介護用設備として用いる場合、高水準の使用頻度を想定して設置場所の清掃及び洗浄作業を定期的に行う必要があり、むしろシャワー入浴装置の設置空間のコンパクト化が要請されている。このような設置空間の制約は、エステティックサロンなど将来の展開分野においても事情は同じである。
【０００７】
ところが、上記従来例は、浴槽部３０Ｂにストレッチャー２１を搬送する際に、両脚部材３７Ａ間に基台部２１Ａを直進させるものであり、浴槽部本体への搬入前に、両脚部材３７Ａを正面にしてストレッチャー２１の基台部２１Ａを一旦対向させる動作が必要になる。しかし、特に、上記した空間的な制約のある設置場所では、この動作に要するスペース確保が困難であり、また、この工程自体が搬送の際の手間を増やすことになる。
【０００８】
そこで、このものでは、上記の縦方向搬送を行う第１の態様に対する第２の態様として、図５で示すように、上記の脚部材をＬ型３７Ａ´に変更すると共に、前面奥部で突出する案内板３９Ｂ´を有するガイド部材３９Ｂを用いて、上記と同様の基台部２１Ａを有するストレッチャー２１の横方向からの挿入も可能にしている。
【０００９】
しかしながら、ストレッチャーの搬送は縦方向に行うのが一般的であるため、この態様においても、縦方向に搬送して来たストレッチャーの進行方向を横方向に変更し、その際に、ストレッチャー２１の基台部２１Ａを、脚部材３７Ａ´とガイド部材３９Ｂとの間を正面にして一旦対向させることになる。このため、対向姿勢に調整するための動作を要するという問題は依然として解消されない。
【００１０】
また、ストレッチャーに設置した各車輪は、一般に、ストレッチャーの横方向の動きに応じて反転する機構を有し、このように車輪を反転させてから、ストレッチャーの搬出を行う。一方、上記従来装置は、縦方向及び横方向のいずれの搬送態様においても、ガイド部材３９により、基台部２１Ａに設けた案内ローラ２１Ｂ、２１Ｃを当接させて、搬送されるストレッチャー２１の位置決めを行い、これによりその搬入を完了させる。このように位置決めされた状態でストレッチャーを横方向に変位させることは困難であり、各車輪を所期通りに反転させた状態にして行うべきスムーズなストレッチャー搬出を行えなくなるおそれがある。
【００１１】
本発明は、上記問題点に鑑み、設置に要するスペースを抑制することができ、ストレッチャー等の台車付き担架または車椅子に対して、簡単でスムーズな搬出入を確実に行い得るシャワー付き入浴装置を提供することを課題としている。
【００１２】
【課題を解決するための手段】
本発明に係るシャワー入浴装置は上記の課題を解決するためにつぎのような手段を採用している。まず本発明に係るシャワー入浴装置においては、入浴者身体の少なくとも一部を内部に収容するための入浴装置本体と、当該入浴者を前記入浴装置本体に搬送するための台車付き担架または車椅子と、前記入浴装置本体内に設けられたシャワー設備とを有するものであること、および、前記入浴装置本体内に収容された台車付き担架または車椅子上の入浴者の身体に対して前記シャワー設備で湯水を噴射するようにしたものであること、および、前記入浴装置本体の壁部として前記入浴者の首部から下方身体部分に対向する前側壁部を有するものであることが前提となる基本構造である。
【００１３】
つぎに前記入浴装置本体についていうと、この入浴装置本体の入浴者出入口側には、前記台車付き担架または車椅子を導入することのできる内方側面対向間隔をおいて一対の案内部材が配置されていて当該両案内部材の内方側面対向間隔が前記入浴者出入口側から前記前側壁部側へ向かうにしたがい狭くなっている。
【００１４】
これにより、上記した台車付き担架や手押し式車椅子を入浴装置本体に縦方向に搬送する際に、左右方向に若干位置ずれたり、ある程度斜め方向から搬入されたりして接近する場合でも、前端部同士より後端部同士の間隔が大きいハの字状に対向配置して形成される両案内部材の幅広開口部に、担架や車椅子の台車先端部が案内される。そして、台車が前進するにつれて、両案内部材の内方側面の形状にしたがって、台車先端部の進行方向が両案内部材間に垂直な進行方向に修正される。
【００１５】
即ち、これら台車の搬送方向を両後案内部材に対する正面からの直進方向にあらかじめ調整する必要がなくなり、斜め方向から接近する場合も手間をかけずに装置本体の所期位置に簡単に搬入することができる。そして、装置本体に対して、ストレッチャーや車椅子の左右方向のずれや斜め方向からの接近が許容されることで、装置本体に到着するまでのストレッチャーや車椅子の軌跡が短縮され、この搬送に要する床面積を削減することができる。この省スペース化の結果、シャワー付き入浴装置の設置場所のコンパクト化が実現可能となる。
【００１６】
本発明に係るシャワー入浴装置は、また、前記基本構造をもつ入浴装置本体において、その入浴装置本体の前側壁部側に位置決め部材が配置されていること、前記台車付き担架または車椅子の台車先端部の左右略中間位置を基部として当該台車先端部の左右両隅に一対の尖端が設けられているとともにこれら両尖端と基部とによる凹部が当該台車先端部側に付帯していること、前記台車付き担架または車椅子の台車先端部が前記両案内部材側から前記位置決め部材の正面側に至ったときには、当該台車先端部側の凹部内に前記位置決め部材の少なくとも正面側が前記左右方向に可動な状態で嵌り込むものであることなど、これらの構成による課題解決手段も備えている。
【００１７】
これにより、各尖端が位置決め部材を挟んだ位置で、上記凹部が位置決め部材の少なくとも正面側を遊嵌状態で包囲することにより、装置本体への搬入時のストレッチャーや車椅子の台車の位置決めを行うことができる。即ち、これにより、ストレッチャーや車椅子が確実に所期位置に搬入される。そして、台車先端と位置決め部材とが左右方向に可動な状態で遊嵌されて連なるため、上記の位置決め状態においてもストレッチャーや車椅子を横方向に簡単に変位できる。これにより、台車に設置された各車輪がいずれも反転可能な状態で待機できることとなり、その後のストレッチャーや車椅子のスムーズな搬出に備えることができる。
【００１８】
この場合、台車先端部の両尖端のそれぞれにローラを軸支して設けることにより、入浴装置本体に台車先端部が案内される際の衝撃が緩和され、ストレッチャーや車椅子の搬入がスムーズになる。
【００１９】
そして、台車先端部の各尖端の両ローラと、これらローラを軸支する支持部材との少なくともいずれか一方に、例えば合成ゴムなどの弾性材質を用いることにより、台車付き担架または車椅子搬入時の位置決めの際の衝撃をさらに緩和することができる。
【００２０】
さらに、台車先端部の各尖端と台車先端部の左右方向略中間位置の基部との間にそれぞれ延在する各延在部の左右対称位置に、少なくとも一対のローラを対称配置することにより、上記凹部で位置決め部材の少なくとも正面側を遊嵌状態で包囲する際に、この凹部と位置決め部材との当接による衝撃が緩和されてさらにスムーズな搬出入が可能となる。また、このようなローラの設置により遊嵌時の上記凹部と位置決め部材との間隔が小さくなり、横方向に変位可能な状態で待機させたストレッチャーや車椅子が所期以上に変位することで生じる、入浴者や入浴装置本体などに対する衝撃を防止することができる。
【００２１】
また、台車先端部の左右略中間位置の基部と、位置決め部材の正面側との少なくともいずれか一方に緩衝材を設けることも上記のような衝撃の抑制に有効である。
【００２２】
本発明に係るシャワー入浴装置は、さらに前記基本構造をもつ入浴装置本体において、その入浴装置本体の前記前側壁部側に一対の位置決め部材が配置されていること、前記台車付き担架または車椅子の台車先端部の左右両端を基部として当該台車先端部の左右略中間位置に尖端が設けられているとともにこれら両基部と尖端とによる凸部が当該台車先端部側に付帯していること、前記台車付き担架または車椅子の台車先端部が前記両案内部材側から前記両位置決め部材の正面側に至ったときには、当該台車先端部側の凸部がこれら両位置決め部材間に前記左右方向に可動な状態で嵌り込むものであることなど、これらの構成による課題解決手段も備えている。
【００２３】
これにより、先端が両位置決め部材に挟まれた位置で、上記凸部を両位置決め部材の少なくとも正面側に遊嵌状態で挿入することにより、装置本体への搬入時のストレッチャーや車椅子の台車の位置決めを行うことができる。即ち、これにより、ストレッチャーや車椅子が確実に所期位置に搬入される。そして、台車先端と両位置決め部材とが、左右方向に可動状態で遊嵌されて連なるため、上記の位置決め状態においてもストレッチャーや車椅子を横方向に簡単に変位できる。これにより、台車に設置された各車輪がいずれも反転可能な状態で待機できるので、その後のストレッチャーや車椅子のスムーズな搬出に備えることができる。
【００２４】
この場合、台車先端部の尖端にローラを軸支して設けることにより、入浴装置本体に台車先端部が案内される際の衝撃が緩和され、ストレッチャーや車椅子の搬入がスムーズになる。
【００２５】
そして、台車先端部の尖端のローラと、このローラを軸支する支持部材との少なくともいずれか一方に、例えば合成ゴムなどの弾性材質を用いることにより、台車付き担架または車椅子搬入時の位置決めの際の衝撃をさらに緩和することができる。
【００２６】
さらに、台車先端部の尖端と台車先端部の左右両端の基部との間にそれぞれ延在する各延在部の左右対称位置に、少なくとも一対のローラを対称配置することにより、上記凸部を両位置決め部材の少なくとも正面側に遊嵌状態で挿入する際に、この凸部と両位置決め部材との当接による衝撃が緩和されてさらにスムーズな搬出入が可能となる。また、このようなローラの設置により遊嵌時の上記凸部と両位置決め部材との間隔が小さくなり、横方向に変位可能な状態で待機させたストレッチャーや車椅子が所期以上に変位することで生じる、入浴者や入浴装置本体などに対する衝撃を防止することができる。
【００２７】
また、台車先端部の左右両端の基部と、位置決め部材の正面側との少なくともいずれか一方に緩衝材を設けることも上記のような衝撃の抑制に有効である。
【００２８】
【発明の実施の形態】
図１及び図２は、本発明のシャワー入浴装置の正面図及び斜視図である。両図において、ドーム本体１は、前後方向（図１の紙面左右方向）に細長く伸びており、その壁部として、左右一対の側壁部２と、上壁部３と、底壁部（台座部）４と、前側壁部５とを備えて構成される。このうち、上壁部３は、左右の側壁部２の上端部同士を連結し、また、底壁部４は、左右の側壁部２の下端部同士を連結した台座部となっている。また、前側壁部５は、左右の側壁部２と上壁部３と底壁部４の各前端部に連結されている。このような各壁部２〜５によって、ドーム本体１は、その断面が筒状となるように形成されているが、その前端部が前側壁部５によって閉じた形状になっている。そして、前側壁部５とは反対側の端部、つまりドーム本体１の後端部に、入浴者Ｋが出入りされる入浴者出入口６が形成されている。このように、ドーム本体１は、その断面形状が筒状とされて、左右の側壁部２、上壁部３、底壁部４はそれぞれ前後方向に長く形成されている。
【００２９】
上壁部３は、左右方向の断面形状が、全体的に上方に向けて凸となるように略円弧状に湾曲形成されている。また、前側壁部５は、前方へ向けて凸となるように略半球状（紡錘形）に形成されている。このようにして、ドーム本体１は、全体的に、極力流線型とされたカプセルあるいは卵形をイメージさせるデザインとされている。そして、ドーム本体１は、ほぼ左右対称形状となるように形成されている。なお、このようなドーム本体１は、全体的に、合成樹脂を主体として形成されており、実施形態では繊維強化プラスチックによって形成されている。
【００３０】
また、左右の各側壁部２には、それぞれ、介護用開口部７が設けられている。
この介護用開口部７は、入浴介護者Ｎがその上半身を入れることができるように十分な開口面積で設定され、ドーム本体１の前後方向に細長く伸びた略長方形状とされている。
【００３１】
ドーム本体１は、複数の支持脚１１〜１３を介して、設置床面１４上に設置されている。各支持脚１１〜１３は、それぞれドーム本体１の底壁部（台座部）４に固定されている。前方に配置される１つの前支持脚１１は、ドーム本体１の前側壁部側でかつ左右方向略中間に位置されている。後方に配置される２つの後支持脚１２、１３は、前後方向において同一位置で、左右方向に所定間隔を有して配置されている。このような支持脚１１〜１３の配置によって、ドーム本体１を後方から見たとき、左右２つの後支持脚１２と１３との間に前支持脚１１が位置するような配置関係となっている。
【００３２】
図１において、入浴者Ｋは、ストレッチャーと呼ばれる担架２１によって移送されて、この担架２１の一部と共にドーム本体１内に収納される。この担架２１の詳細を図３（ａ）及び（ｂ）に示す。図３（ｂ）を参照して、担架２１は、複数の走行車輪２２を有する台車部２３と、台車部２３の直上に位置して略水平方向に伸びる担架部２４と、台車部２３の後端部と担架部２４の後端部とを連結する上下方向に伸びる支持部２５とを有する。支持部２５は、例えば、シリンダ式の左右一対のガイド部（図示せず）と、シリンダ式のジャッキ部（図示せず）とを有して、ジャッキ部によって、担架部２４の上下方向高さが調整可能とされている。このように、担架部２４は、台車部２３によって片持ち式に支承されて、台車部２３と担架部２４との間には、ドーム本体１の底壁部（台座部）４との干渉防止のために、前後方向に長く伸びる大きな逃げ空間を設けている。
【００３３】
また、図３（ａ）に示すように、担架部２４は、湯水の通過が可能であるように、例えば、メッシュ構造２６等、通水構造を備えている。さらに、台車部２３の先端には、その左右両隅にそれぞれ直径１００ｍｍ程度のローラ２７ａ、２７ｂを軸支する一対の尖端が設けられている。即ち、台車部２３の先端が凹形状に形成される。そして、その凹部の尖端と基部との中間位置の延在部には、さらに、それぞれ直径５０ｍｍ程度のローラ２８ａ、２８ｂが設けられている。
【００３４】
次に、図１を参照して、ドーム式シャワー入浴装置によって入浴者Ｋを入浴させる手順について説明する。まず、入浴される入浴者Ｋは、担架２１の担架部２４上において、全体的に略水平方向に伸びた姿勢（通常は仰向け姿勢）でもって移送される。そして、カーテン３１（入浴者出入口６）を開いた状態で、台車部２３が左右２本の後支持脚１１、１２の間に位置するようにして担架２１を前進させて、入浴者Ｋをドーム本体１内に収納していく。このとき、台車部２３が、ドーム本体１の底壁部（台座部）４の下方で前進し、これに伴って担架部２４が入浴者Ｋと共にドーム本体１内に収納されていく。そして、ついに台車部２３が前支持脚１１に当接し、この状態で入浴者Ｋが完全にドーム本体１内に収納された状態となる。
【００３５】
ところで、入浴介護者Ｎが、入浴者Ｋをドーム本体１内に収納する際には、入浴者Ｋを載置した担架２１の台車部２３を、両後支持脚１２、１３の正面に対向させて、直進させるのが原則である。ところが、入浴者Ｋを載置して重量物となった担架２１の先端を、左右方向のずれを生じさせずに正確に両後支持脚１２、１３の間に位置させるには熟練を要する。また、シャワー入浴装置の設置場所が、浴室等を転用したものである場合、その設置空間は限られており、このため担架２１をある程度斜め方向から搬入せざるを得ないこともある。
【００３６】
そこで、本発明は、図４に示すように、左右の後支持脚１２、１３の内方側面１２ａ、１３ａを、後方、即ち、入浴者出入口６側に向けて徐々に間隔が大きくなるように設定する。すなわち、支持脚１２と１３との前端部において形成されるその最小間隔を、担架２１の台車部２３の最大幅よりも若干大きい程度に設定し、後支持脚１２と１３との後端部の間隔を台車部２３の最大幅よりも十分に大きく設定する。なお、このときの、前端部に対する後端部の開口は、前支持脚１１の正面方向に対して約２５度程度である。
【００３７】
これにより、図４（ａ）に示すように、担架２１がドーム本体１に対して左右方向に若干位置ずれたり、ある程度斜め方向から搬入されたりしても、担架２１を前進する際に、その台車部２３の先端左右両隅のローラ２７ａ、２７ｂが後支持脚１２または１３に案内される。即ち、後支持脚１２と１３との徐々に狭まる間隔によって左右方向の位置ずれが自動的に修正されて、台車部２３が前記両後支持脚１２、１３の間から前支持脚１１の正面方向に進行する。そして、図４（ｂ）に示すように、前支持脚１１に到達したときには、ローラ２７ａ、２７ｂが前支持脚１１の正面側の形状にしたがって伝う。そして、最終的に、図４（ｃ）に示すように、先端のローラ２７ａ、２７ｂがそれぞれ前支持脚１１を挟んだ位置で、台車部２３の先端の凹部形状が前支持脚１１の正面側を遊嵌状態で包囲してその先端が所期位置に位置決めされる。そして、台車部２３の後方部分が後支持脚１２、１３の間で位置規制されていることと相俟って、台車部２３全体が入浴装置本体内の所期位置に確実に搬入される。
【００３８】
なお、このとき、台車部２３のローラ２８ａ、２８ｂが前支持脚１１に当接することにより、台車部２３と前支持脚１１との間で生じる衝撃が緩和される。また、このような衝撃防止のため、ローラ２７ａ、２７ｂ、ローラ２８ａ、２８ｂやこれらを軸支する尖端支持部など前支持脚１１と当接する部分や、前支持脚１１自身に合成ゴムなどの弾性材質を用いても良い。あるいは、この尖端同士を引っ張り方向に付勢したばね構造で連結するものとしても良い。さらに、前支持脚１１の正面側に、例えばウレタン製パッド２９などの緩衝材を備えることによりその衝撃防止がいっそう効果的になる。このような緩衝材の装着場所は、前支持脚１１と当接すべき台車先端部２３側であっても良い。
【００３９】
そして、この結果、入浴者Ｋがドーム本体１内の左右に確実かつスムーズに位置決めされるのである。
【００４０】
また、上記の搬入に続き入浴作業を行った後に担架２１の搬出を行う。このとき、台車部２３を横方向に変位させて走行車輪２２を反転する必要がある。そして、図４（ｃ）に示すように、台車部２３の先端の凹部形状と前支持脚１１の正面側とが遊嵌状態で連なっているので、台車部２３を横方向に変位させることは容易であり、これにより、走行車輪２２を反転させて担架２１の搬出に備えることができる。
【００４１】
本発明において、台車部２３の先端と前支持脚１１の正面側との遊嵌状態は、上記の構成に限定されるものではなく、支持脚１１及び担架２１側の構成を種々変更したものを用いることができる。
【００４２】
即ち、図５（ａ）に示すように、設置床面に対する支承を後支持脚１２、１３及び前支持脚１１ａ、１１ｂの４点支持で行う場合には、台車部２３の先端を、中央にローラ２７ａ、２７ｂを軸支する尖端を設けた凸形状とする。そして、その凸部の尖端と左右の基部との中間位置の延在部には、それぞれローラ２８ａ、２８ｂを設ける。このものでは、台車部２３が、前記両後支持脚１２、１３の間から前支持脚１１ａ、１１ｂの各正面方向に到着する際、その先端のローラ２７ａ、２７ｂがそれぞれ前支持脚１１ａ、１１ｂに挟まれた位置で、台車部２３の先端の凸部形状が前支持脚１１ａ、１１ｂの正面側に遊嵌状態で挿入してその先端が所期位置に位置決めされる。そして、台車部２３の後方部分が後支持脚１２、１３の間で位置規制されていることと相俟って、台車部２３全体が入浴装置本体内の所期位置に確実に搬入される。
【００４３】
また、上記の４点支持脚の場合に、図５（ｂ）に示すように台車部２３の先端に軸支するものを単独のローラ２７に留めた構成とすることも可能である。
【００４４】
さらに、上記のように前後支持脚を案内部材及び位置決め部材に用いることは必ずしも必要ではない。例えば、図６に示すように、ドーム本体１の足元空間に、前支持脚１１及び後支持脚１２、１３以外に、台座部４から前方ガイド５０を吊設して担架２１の位置決めに用いることが可能である。また、図７に示すようにドーム本体１の足元空間全面をスカート６０で覆い、台車部２３の搬入口の内部に一対の後方ガイド６１、６２を吊設する構造としても良い。
【００４５】
また、これらガイド用の前方ガイド５０や後方ガイド６１、６２は台座部４から吊設する構成に限定されるものではなく、例えば、設置床面から立設させても良い。
【００４６】
以上実施形態について説明したが、本発明はこれに限らず例えば次のような場合をも含むものである。ドーム本体１を構成する材質としては、合成樹脂以外に金属を用いることも可能であり、また幌部材のような可撓性部材によって構成することもできる。
【００４７】
また、入浴の際、入浴者Ｋはストレッチャー式の担架上に載置する以外にも、適宜のものとすることができる。例えば、車椅子にある入浴者Ｋを、そのフットレストを高い位置とし、かつ背もたれを後方へ大きくリクライニングさせることによって、首部から下方の下方身体部分を略水平方向に伸びる姿勢とすることができる。また、入浴者Ｋが車椅子に着座された通常の姿勢位置において、首部から上部分のみをドーム本体の外部へ突出させて、首部から下方部分を全体的にドーム本体内に収納するようなものであってもよい。この場合、入浴者Ｋは、車椅子に着座している通常の着座姿勢のまま入浴することが可能であるが、この場合、介護用開口部７が形成される側壁部としては、入浴者Ｋを左右側方から覆う左右の側壁部２に形成する場合に限らず、入浴者Ｋを正面から覆う前側壁部５に形成することもできる。
【００４８】
さらに、本実施の態様においては、担架の進行方向をその長手方向に限定して搬出入するものとしたが、進行方向をこれと垂直にして、いわゆる横方向で担架の搬出入を行う構成としても良い。この場合、入浴装置側の構成も９０°ずれたものとする必要がある。
【００４９】
勿論、本発明の目的は、明記されたものに限らず、実質的に好ましいあるいは利点として表現されたものを提供することをも暗黙的に含むものである。
【００５０】
【発明の効果】
以上の説明から明らかなように、本発明のシャワー付き入浴装置は、設置床面に支承するために、略ハの字状に配置された一対の案内部材を備えるため、装置本体に対して斜め方向から接近するストレッチャーや車椅子の搬入を簡単に行うことができ、装置本体に到着するまでのストレッチャーや車椅子の搬送に要する床面積を減少することができる。したがって、これによる省スペース化の結果、シャワー付き入浴装置の設置場所のコンパクト化が実現可能となる。
【００５１】
また、台車先端部の左右両隅に尖端を形成して両尖端にローラを設けたり、台車先端部の左右方向略中央に尖端を形成してこの尖端にローラを設けたりすることにより、両案内部材の後端部のそれぞれにより形成される幅広開口部に台車先端部が案内される際の衝撃が緩和されて上記の搬入がスムーズになる。
【００５２】
さらに、入浴装置本体の前側壁部側で装置本体の左右方向略中央や左右対称位置に位置決め部材を配置し、台車先端部の左右両隅や左右方向略中央にローラ付きの尖端を設けて、台車先端部に凹部や凸部を形成し、これらローラが、位置決め部材を挟み、若しくは位置決め部材に挟まれた位置で、位置決め部材の少なくとも正面側を遊嵌状態で包囲することで、装置本体への搬入時のストレッチャーや車椅子の位置決めを行うことができ、所期位置への搬入が確実になる。そして、台車先端と位置決め部材とが遊嵌されるため、上記の位置決め状態においてもストレッチャーや車椅子を横方向に簡単に変位できて、台車の各車輪をいずれも反転可能な状態にでき、その後にストレッチャーや車椅子のスムーズな搬出を行うことができる。
【図面の簡単な説明】
【図１】本発明のシャワー入浴装置の概略立面図
【図２】本発明のシャワー入浴装置の概略斜視図
【図３】（ａ）本発明のシャワー入浴装置に用いる担架の上面図
（ｂ）本発明のシャワー入浴装置に用いる担架の立面図
【図４】（ａ）〜（ｃ）図３の担架の進行工程図
【図５】（ａ）本発明のシャワー入浴装置の担架及び支持脚の第２の態様
（ｂ）本発明のシャワー入浴装置の担架及び支持脚の第３の態様
【図６】本発明のシャワー入浴装置の第４の態様を示す斜視図
【図７】本発明のシャワー入浴装置の第５の態様を示す斜視図
【符号の説明】
５  前側壁部
６  入浴者出入口
１１  １１ａ  １１ｂ  前支持脚（位置決め部材）
１２  １３  後支持脚（案内部材）
１２ａ  １３ａ  内方側面
２１  担架
２３  台車
２７  ２７ａ、２７ｂ  ローラ
２８ａ、２８ｂ  ローラ
２９  ウレタンパッド
５０  前方ガイド（位置決め部材）
６１、６２  後方ガイド（案内部材）
【図１】
0003710768.tif 000002
【図２】
0003710768.tif 000003
【図３】
0003710768.tif 000004
【図４】
0003710768.tif 000005
【図５】
0003710768.tif 000006
【図６】
0003710768.tif 000007
【図７】
0003710768.tif 000008